(57)【要約】    【課題】  二番還元物が揺動選別棚上に片寄り、選別効率が低いという課題。    【構成】  穀稈供給搬送装置７の穀稈搬送方向と軸心が平行の脱穀室６の扱網１０の下方に風選室１３を設け、該風選室１３内の揺動選別装置１５の下方には、一番コンベア２１および二番コンベア２２を設け、前記脱穀室６の側部には、前記二番コンベア２２の二番物戻し装置３１により回収された二番物を処理する二番処理装置３０を設け、該二番処理装置３０の二番還元口３５は、穀粒を揺動選別装置１５の幅方向に拡散させる拡散装置４０に臨ませ、該拡散装置４０は、揺動選別装置１５の幅方向に伸びる受樋４１と該受樋４１内の搬送螺旋４２とを有し、搬送螺旋４２は、前記穀稈供給搬送装置７側の回転軸４３から駆動回転を入力するように構成した脱穀装置。【選択図】    図２
2006304639.tif 000002
【特許請求の範囲】
【請求項１】
穀稈供給搬送装置７により搬送する穀稈搬送方向と軸心が平行方向の扱胴５を上部に軸装した脱穀室６を設け、脱穀室６の扱網１０の下方に、送風唐箕１１からの送風により風選する風選室１３を設け、該風選室１３に往復揺動する揺動選別棚１４により構成した揺動選別装置１５を設け、揺動選別棚１４の下方には一番コンベア２１および二番コンベア２２を設け、前記脱穀室６の側部には、前記二番コンベア２２の終端に接続した二番物戻し装置３１により回収供給された二番物を処理する二番処理装置３０を設け、該二番処理装置３０の終端の二番還元口３５は、前記揺動選別棚１４の幅方向に二番物を拡散させる拡散装置４０の始端部上方に臨ませ、該拡散装置４０は、揺動選別棚１４の上方の幅方向に受樋４１を設け、該受樋４１上に搬送螺旋４２を設けて構成し、該搬送螺旋４２は、前記穀稈供給搬送装置７側の回転軸４３から駆動回転を入力するように構成した脱穀装置。
【請求項２】
請求項１において、前記拡散装置４０の搬送螺旋４２は、前記送風唐箕１１に伝達された回転を伝達するように構成した脱穀装置。
【発明の詳細な説明】
【技術分野】
【０００１】
本発明は、脱穀装置に係るものである。
【背景技術】
【０００２】
従来、上部に扱胴を軸装した脱穀室を設け、脱穀室の扱網の下方に、送風唐箕からの送風により風選する風選室を設け、該風選室に往復揺動する揺動選別棚により構成した揺動選別装置を設け、揺動選別棚の下方には一番コンベアおよび二番コンベアを設け、前記脱穀室の側部には、前記二番コンベアの終端に接続した二番物戻し装置により回収供給された二番物を処理する二番処理装置を設けた構成は、公知である（特許文献１）
【特許文献１】特開平９−１９１７５５号公報
【発明の開示】
【発明が解決しようとする課題】
【０００３】
前記公知例は、揺動選別棚の一方側に二番処理装置からの二番物を還元させるため、揺動選別棚の他方側が有効利用されず、揺動選別棚の能力が十分に発揮できないという課題がある。
本願は、二番処理装置から排出される二番物の還元させる構成を工夫し、揺動選別棚の選別性能を十分に発揮させるようにしたものである。
【課題を解決するための手段】
【０００４】
本発明は、穀稈供給搬送装置７により搬送する穀稈搬送方向と軸心が平行方向の扱胴５を上部に軸装した脱穀室６を設け、脱穀室６の扱網１０の下方に、送風唐箕１１からの送風により風選する風選室１３を設け、該風選室１３に往復揺動する揺動選別棚１４により構成した揺動選別装置１５を設け、揺動選別棚１４の下方には一番コンベア２１および二番コンベア２２を設け、前記脱穀室６の側部には、前記二番コンベア２２の終端に接続した二番物戻し装置３１により回収供給された二番物を処理する二番処理装置３０を設け、該二番処理装置３０の終端の二番還元口３５は、前記揺動選別棚１４の幅方向に二番物を拡散させる拡散装置４０の始端部上方に臨ませ、該拡散装置４０は、揺動選別棚１４の上方の幅方向に受樋４１を設け、該受樋４１上に搬送螺旋４２を設けて構成し、該搬送螺旋４２は、前記穀稈供給搬送装置７側の回転軸４３から駆動回転を入力するように構成した脱穀装置としたものであり、穀稈供給搬送装置７により搬送された穀稈は脱穀室６内に供給され、回転する扱胴５により脱穀され、脱穀された脱穀物（被処理物）は扱網１０から下方の揺動選別棚１４に落下し、揺動選別棚１４の揺動と送風唐箕１１の送風により選別され、穀粒は一番コンベア２１から回収される。
揺動選別棚１４により選別されて一番コンベア２１に回収されないものは二番還元物として二番コンベア２２に回収され、二番コンベア２２により回収された二番還元物は二番処理装置３０に戻されて再処理され、二番処理装置３０の終端の二番還元口３５から拡散装置４０に排出され、拡散装置４０に排出された二番物は揺動選別棚１４上に拡散して落下する。
拡散装置４０は、穀稈供給搬送装置７側の回転軸４３の端部から駆動回転が入力されて、受樋４１に落下した二番物を搬送螺旋４２により搬送し、搬送中に揺動選別棚１４上に拡散させる。
本発明は、前記拡散装置４０の搬送螺旋４２は、前記送風唐箕１１に伝達された回転を伝達するように構成した脱穀装置としたものであり、送風唐箕１１の回転がベルト４９により搬送螺旋４２の回転軸４３に伝達され、搬送螺旋４２の回転により受樋４１上の二番物を搬送し、搬送中に揺動選別棚１４上に拡散させる。
【発明の効果】
【０００５】
請求項１の発明では、拡散装置４０の搬送螺旋４２の駆動回転が穀稈供給搬送装置７側の回転軸４３の端部から入力されるので、拡散装置４０をグレンタンクグレンタンク４５とは無関係にメンテナンスでき、グレンタンク４５側から駆動回転を入力するのに比しメンテナンスが容易となる。
請求項２の発明では、回転軸４３の近傍の送風唐箕１１の回転を搬送螺旋４２に伝動できるので、ベルト４９により伝動機構を構成でき、簡素で安価容易に実現できる。
【実施例１】
【０００６】
本発明の実施例を図面により説明すると、１は脱穀装置である。実施例は、コンバインの脱穀装置であり、図示は省略するが脱穀装置１の下方に走行装置を設け、脱穀装置１の前方には刈取部Ｐを設けている（図４）。
前記脱穀装置１は、上部に扱胴５を軸装した脱穀室６を設け、脱穀室６の一側には前記刈取部により刈り取った穀稈を供給搬送する穀稈供給搬送装置７の供給搬送チエン８を設けている。なお、理解を容易にするため、便宜的に方向を示して以下説明するが、これにより構成が限定されるものではない。
【０００７】
扱胴５の主として下方側は扱網１０により包囲している。扱網１０の下方には送風唐箕１１の唐箕ケーシング１２を設ける。前記脱穀室６の下方には前記送風唐箕１１の送風により穀粒と異物とを風選し得る風選室１３を形成し、風選室１３内には、送風唐箕１１の送風方向（前後方向）に往復揺動する揺動選別棚１４により構成した揺動選別装置１５を設ける。
揺動選別装置１５は、その揺動選別棚１４の始端部（前端部）を唐箕ケーシング１２の上方に位置させて移送棚部１６に形成する。移送棚部１６の構成は任意であり、移送方向下手側を低く傾斜させたり、あるいは、移送棚部１６の上面に突起や凹凸を設けて揺動選別装置１５の移送方向下手側のグレンシーブ１７に扱網１０からの落下物を移送できればよい。
【０００８】
前記グレンシーブ１７は、グレンシーブ１７の移送方向の前後中間位置には中間フィン体１８を設ける。中間フィン体１８は、扱網１０より落下しない処理物を脱穀室６から排出する排出口１９の下方から移送方向の下手側に位置させる。前記中間フィン体１８の上面はギザギザ状に凹凸を形成し、排出口１９からの落下物を位相方向下手側に移送する作用と、落下物の塊をほぐして揺動選別棚１４上に落下させる作用を期待する。
グレンシーブ１７の移送方向の下手側（後側）の揺動選別棚１４にはストローラック２０を設け、揺動選別棚１４の下方には一番コンベア２１を設け、一番コンベア２１の後側には二番コンベア２２を設ける。
【０００９】
しかして、前記脱穀室６の終端には排塵処理装置２３を設ける。排塵処理装置２３は、前記扱胴５と軸心が平行方向な排塵処理胴２４を設け、排塵処理胴２４の外周には処理歯２８を設け、排塵処理胴２４の主として下方側は処理網２５により包囲して排塵処理室２６を形成し、排塵処理室２６は、その始端部を平面視前記脱穀室６の終端部と重合させ、連通口２７により連通させる。
前記排塵処理胴２４の前側には二番処理装置３０を設ける。二番処理装置３０は、前記二番コンベア２２の終端に接続した二番物戻し装置３１により回収供給された二番物を処理するものであり、二番処理胴３２の主として下方側を処理網３３により包囲して二番処理室３４を形成して構成する。
【００１０】
前記二番処理胴３２は、排塵処理胴２４と同軸状に配置する。
この場合、排塵処理胴２４は扱胴５と同方向回転として処理物を後側に移送し、二番処理胴３２は扱胴５と逆方向回転として処理物を前側に移送するように構成している。
【００１１】
二番処理室３４の終端には二番還元口３５を設け、二番還元口３５は側面視において揺動選別棚１４の始端部（前端部）の上方に位置させる。二番処理室３４の終端には、揺動選別棚１４の幅方向に二番物を拡散させる拡散装置（二番拡散装置）４０を設ける。
即ち、平面視、二番処理装置３０は脱穀室６の側部に位置しているため、二番処理装置３０の二番還元口３５は揺動選別棚１４の一側上方に開口することになって選別対象物が揺動選別棚１４の一側に集中し、選別精度および効率が低くなるが、拡散装置４０による搬送中に揺動選別棚１４上に落下させて二番物を揺動選別棚１４の幅方向に拡散させるので、揺動選別棚１４の選別能力を向上させる。
【００１２】
実施例では、前記二番還元口３５の下方に受樋４１の始端部を設け、受樋４１上に搬送螺旋４２を設け、受樋４１の終端を扱胴５の下方の所定位置に臨ませる。
この場合、拡散装置４０は搬送螺旋４２の回転軸４３の両端を脱穀装置１の左右の側板４４に軸装し、前記穀稈供給搬送装置７側（左側）の回転軸４３の端部より駆動回転を入力して、搬送螺旋４２を駆動するように構成する。
したがって、脱穀装置１の反穀稈供給搬送装置７側（右側）に設けたグレンタンク４５の反対側から駆動回転を入力するので、グレンタンク４５側に比しメンテナンスが容易になる。
【００１３】
前記左側の側板４４より突出する回転軸４３の端部には、入力プーリ４６を設ける。入力プーリ４６には送風唐箕１１の回転を入力する。
左側面視において、送風唐箕１１は反時計回転であり、搬送螺旋４２の回転方向と同じで、且つ、回転軸４３の近傍であるので、伝動機構を安価容易に構成できる。
即ち、拡散装置４０は、搬送螺旋４２により搬送中に受樋４１から揺動選別棚１４上に二番物を落下させて拡散させるものであり、拡散させる構成は任意であるが、そのうち搬送螺旋４２の回転方向を、揺動選別棚１４の移送方向の終端側が回転上昇側にすると、搬送螺旋４２によって受樋４１内の搬送物を掻き揚げたときに受樋４１を乗り越えさせて落下させる拡散構成の一部となるのである。
４７は送風唐箕１１の回転軸、４８は伝達プーリ、４９はベルト、５０はエンジンである。
【００１４】
しかして、前記拡散装置４０は、受樋４１を揺動選別棚１４の全幅に亘って設け、受樋４１内にはその長さ方向一杯に搬送螺旋４２を設ける（図２、図３）。
搬送螺旋４２は、受樋４１の左右両側から受樋４１の略中央に向けて搬送するように構成する。
即ち、拡散装置４０は、一方は二番処理装置３０からの二番物を中央に搬送しながら揺動選別棚１４に拡散させ、他方は穀稈供給搬送装置７側の脱穀室６の扱網１０からの落下物を中央に搬送しながら揺動選別棚１４に拡散させるように構成する（図２、図３）。
【００１５】
したがって、搬送螺旋４２は、一方側搬送螺旋４２Ａと他方側搬送螺旋４２Ｂとにより構成し、一方側搬送螺旋４２Ａと他方側搬送螺旋４２Ｂは互いに逆送りとなり、しかも、一方側搬送螺旋４２Ａと他方側搬送螺旋４２Ｂの夫々は側面視揺動選別棚１４の搬送方向の後側（終端側）が回転上昇側となるように構成する。
【００１６】
この場合、一方側搬送螺旋４２Ａ（二番処理装置３０側）の螺旋ピッチが、他方側搬送螺旋４２Ｂ（穀稈供給搬送装置７側）の螺旋ピッチより大となるように構成する。即ち、一方側搬送螺旋４２Ａ（二番処理装置３０側）の螺旋ピッチ＜他方側搬送螺旋４２Ｂ（穀稈供給搬送装置７側）の螺旋ピッチとなる（図５）。
そのため、通常の脱穀室６からの落下物に加えて二番物が増加する二番処理装置３０側からの搬送物を、一方側搬送螺旋４２Ａ（二番処理装置３０側）の螺旋ピッチを大きくすることで、拡散処理能力を向上させる。
【００１７】
しかして、図７、８の前記拡散装置４０は、受樋４１の先端を脱穀室６の下方途中部分に位置させて開放した実施例であり、揺動選別棚１４の左右中間位置までの搬送中に、二番物を揺動選別棚１４上に拡散排出させ、受樋４１の終端部では開放した受樋４１の開放端から搬送螺旋４２の軸心方向に排出するように構成する。
そのため、受樋４１の搬送螺旋４２の搬送方向の始端部では主として搬送方向に対して交差方向となる揺動選別棚１４の終端側に向けて二番物が拡散され、受樋４１の終端部では搬送螺旋４２の搬送方向に二番物を拡散排出させることになり、コンパクトな構成でありながら、拡散方向を分散させることで、高い拡散作用が期待できる。
【００１８】
また、図１１の実施例では、受樋４１の底部に均一排出可能な開口部５１を形成し、開口部５１は二番還元口３５側が大きく開口し、反二番還元口３５側に至るに従い小さい開口面積に形成して、均一排出するようにしている。
また、揺動選別棚１４の移送方向下手側（後側）の受樋４１の後縁５２は終端に至るに従い低くなるように傾斜させ、前記搬送螺旋４２による搬送中の拡散排出が均一となるようにしている（図１１）。
【００１９】
この場合、前記受樋４１の後縁５２は、前縁５３より低くし、揺動選別棚１４への拡散放出作用を向上させる（図１２、図１３）。
【００２０】
しかして、図１４は拡散装置４０の他の実施例であり、二番処理胴３２の前側の脱穀装置１の前板５５にギヤボックス５６を設け、該ギヤボックス５６にエンジン５０からの回転を伝動し、エンジン５０からの回転により拡散装置４０の回転軸４３に回転を伝達するように構成する。そして、グレンタンク４５をオープンさせると、搬送螺旋４２を軸方向に引き抜けるように構成する。
【００２１】
したがって、平面視、脱穀装置１とグレンタンク４５の機体の幅内に入力プーリ４６と伝達プーリ４８とベルト４９等の伝達機構を収めることができ、コンパクトな構成になる。
５７は伝達プーリ、５８はベルトである。
【００２２】
また、ギヤボックス５６から回転軸４３に回転を伝達するので、ギヤボックス５６内のギヤ構成により任意の回転数を搬送螺旋４２に伝達することができ、ベルト４９による伝動でありながら、別途増速機構等が不要となり、簡素な伝動機構にできる。
また、グレンタンク４５をオープンさせると、搬送螺旋４２を軸方向に引き抜ける位置に、拡散装置４０を配置構成したので、メンテナンスが容易である。
【００２３】
また、図１５は拡散装置４０の伝動に関する他の実施例であり、一番コンベア２１を回転させる一番コンベアプーリ６０と、二番コンベア２２を回転させる二番コンベアプーリ６１と、入力プーリ４６とを単一のベルト４９で掛け回し、ベルト４９により回転伝達する。
即ち、一番コンベア２１と二番コンベア２２と拡散装置４０の搬送螺旋４２は略同一回転数で駆動すればよいので、プーリー径を略同一とし、単一のベルト４９で回転伝達することができ、伝動がコンパクトになり、安価に構成できる。
６２は中間駆動プーリであり、ベルト４９を駆動させる。
【００２４】
また、図１６は拡散装置４０の伝動に関する他の実施例であり、拡散装置４０の搬送螺旋４２の回転数を、機体の走行速度に同調させて、増減速させるように構成する。
車速が速い程処理する穀粒流量が増加するので、搬送螺旋４２の回転数を車速に同調させて、搬送拡散作用を向上させる。
車速に同調させる構成は任意であるが、一例を示すと、エンジン５０を所定回転数で一定回転させ、このエンジン５０の回転を無段変速装置６３により走行装置に回転を伝達するミッション６４に無段階に変速して伝達して走行し、ミッション６４に伝達された無段変速装置６３の回転を拡散装置４０の搬送螺旋４２に伝達させる。
【００２５】
また、実施例では、ミッション６４から搬送螺旋４２に至る伝動経路Ｆ中に、前記穀稈供給搬送装置７に回転を伝達する出力軸６５を設け、搬送螺旋４２と穀稈供給搬送装置７とを車速に同調させて回転させて、作業効率を向上させている。
６６は搬送螺旋４２および穀稈供給搬送装置７への回転伝達を入り切りするクラッチ、６７はベルトである。
【００２６】
しかして、拡散装置４０は、揺動選別棚１４の始端部上方位置に位置させ、揺動選別棚１４の移送棚部１６上には、所定高さで揺動選別棚１４の移送方向と略平行方向の平板状のゲート７０を、揺動選別棚１４の幅方向に複数所定間隔を置いて設ける。
拡散装置４０から拡散排出された二番物が各ゲート７０の間を移送棚部１６の揺動により移送させるので、拡散された二番物は均一な層のままグレンシーブ１７に移送され、高精度の選別性能を発揮する。
【００２７】
しかして、図１９の前記拡散装置４０は、受樋４１の後縁５２を前縁５３より低くし、かつ、受樋４１の中間部までは搬送螺旋４２を設け、中間部より終端側の受樋４１上の回転軸４３には回転軸４３に対して放射方向に突出する拡散体７２を設ける。拡散体７２は、受樋４１上の二番物を後側に排出および拡散させる能力を向上させて、揺動選別棚１４への拡散放出作用を向上させる。
【００２８】
しかして、図２１の実施例は、前記揺動選別棚１４を二つ一部が上下に位置するように並設したものであり、上側揺動選別棚１４Ａは移送棚部１６とグレンシーブ１７により構成し、下側揺動選別棚１４Ｂは移送棚部１６と選別網７４とストローラック２０を設けて構成し、揺動選別棚１４Ｂの移送棚部１６の始端部は揺動選別棚１４Ａの移送棚部１６より前側に位置させ、揺動選別棚１４Ｂの移送棚部１６の始端部上方に拡散装置４０を設ける。
【００２９】
揺動選別棚１４Ｂ上に脱穀室６からろ過した穀粒と二番処理装置３０からの二番物を選別網７４上に拡散できて、揺動選別能力を向上させる。
なお、前記した各実施例は、理解を容易にするために、個別または混在させて図示、あるいは説明しているが、これらの各実施例の構成は夫々種々組合せ可能であり、これらの表現によって、構成・作用等が限定されるものではなく、また、相乗効果を奏する場合も勿論存在する。
【図面の簡単な説明】
【００３０】
【図１】脱穀装置の側面図。
【図２】脱穀装置の平面図。
【図３】脱穀装置の正面図。
【図４】伝動経路を示す概略図。
【図５】脱穀装置の正面図。
【図６】扱胴、二番処理胴、揺動選別棚の斜視図。
【図７】拡散装置部分の斜視図。
【図８】扱胴、二番処理胴、揺動選別棚の斜視図。
【図９】脱穀装置の平面図。
【図１０】拡散装置の受樋の平面図。
【図１１】同斜視図。
【図１２】拡散装置の断面図。
【図１３】拡散装置の斜視図。
【図１４】脱穀装置の平面図。
【図１５】脱穀装置の側面図。
【図１６】脱穀装置の平面図。
【図１７】脱穀装置の側面図。
【図１８】脱穀装置の平面図。
【図１９】拡散装置の斜視図。
【図２０】同断面図。
【図２１】脱穀装置の側面図。
【符号の説明】
【００３１】
１…脱穀装置、５…扱胴、６…脱穀室、７…穀稈供給搬送装置、８…供給搬送チエン、１１…送風唐箕、１２…唐箕ケーシング、１３…風選室、１４…揺動選別棚、１５…揺動選別装置、１６…移送棚部、１７…グレンシーブ、１９…排出口、２１…一番コンベア、２２…二番コンベア、２３…排塵処理装置、２４…排塵処理胴、２５…処理網、２６…排塵処理室、２７…連通口、２８…処理歯、３０…二番処理装置、３１…二番物戻し装置、３２…二番処理胴、３３…処理網、３４…二番処理室、３５…二番還元口、４０…拡散装置、４１…受樋、４２…搬送螺旋、４３…回転軸、４４…側板、４５…グレンタンク、４６…入力プーリ、４７…回転軸、４８…伝達プーリ、４９…ベルト、５０…エンジン、５１…開口部、５２…後縁、５３…前縁、５５…前板、５６…ギヤボックス、６０…一番コンベアプーリ、６１…二番コンベアプーリ、６３…無段変速装置、６４…ミッション、６５…出力軸、６６…クラッチ、７０…ゲート、７２…拡散体、７４…選別網。
【図１】
2006304639.tif 000003
【図２】
2006304639.tif 000004
【図３】
2006304639.tif 000005
【図４】
2006304639.tif 000006
【図５】
2006304639.tif 000007
【図６】
2006304639.tif 000008
【図７】
2006304639.tif 000009
【図８】
2006304639.tif 000010
【図９】
2006304639.tif 000011
【図１０】
2006304639.tif 000012
【図１１】
2006304639.tif 000013
【図１２】
2006304639.tif 000014
【図１３】
2006304639.tif 000015
【図１４】
2006304639.tif 000016
【図１５】
2006304639.tif 000017
【図１６】
2006304639.tif 000018
【図１７】
2006304639.tif 000019
【図１８】
2006304639.tif 000020
【図１９】
2006304639.tif 000021
【図２０】
2006304639.tif 000022
【図２１】
2006304639.tif 000023